【手続補正書】
【提出日】平成20年7月9日(2008.7.9)
【手続補正１】
【補正対象書類名】特許請求の範囲
【補正対象項目名】全文
【補正方法】変更
【補正の内容】
【特許請求の範囲】
【請求項１】
ＣＤＭＡ信号を処理する無線送受信装置（ＷＴＲＵ）であって、
（ａ）モデムホストと、
（ｂ）前記無線送受信装置のワイヤレス通信能力を強化して前記モデムホスト単独により提供されるワイヤレス通信能力を越えさせ、複数のカスタマイズ可能なインターフェースによって前記モデムホストと通信するＨＳＤＰＡコプロセッサと
を備え、
前記モデムホストが、ホストＣＰＵを含み、
前記ＨＳＤＰＡコプロセッサが、前記ホストＣＰＵと前記ＨＳＤＰＡコプロセッサとの間の通信を確立するホストＣＰＵインターフェースを含むことを特徴とする無線送受信装置。
【請求項２】
前記モデムホストは、３ＧＰＰ  Ｒ４規格に従って作動し、
前記ＨＳＤＰＡコプロセッサは、前記無線送受信装置が３ＧＰＰ  Ｒ５規格に従って作動するよう前記無線送受信装置のワイヤレス通信能力を強化することを特徴とする請求項１に記載の無線送受信装置。
【請求項３】
前記モデムホストが、ＲＲＣフィルタを含むレシーバを含むことを特徴とする請求項１に記載の無線送受信装置。
【請求項４】
前記ＨＳＤＰＡコプロセッサが、前記モデムホストにおけるＲＲＣフィルタの出力からのＩ／Ｑサンプルを受信するＩ／Ｑサンプルインターフェースを含むことを特徴とする請求項３に記載の無線送受信装置。
【請求項５】
前記Ｉ／Ｑサンプルが、前記モデムホストにおけるＲＲＣフィルタによって、前記ＨＳＤＰＡコプロセッサのＩ／Ｑサンプルインターフェースに、前記ＣＤＭＡ信号のチップ速度の実質上２倍である速度において提供されることを特徴とする請求項４に記載の無線送受信装置。
【請求項６】
前記ＨＳＤＰＡコプロセッサが、ＲＲＣフィルタを含むレシーバを含むことを特徴とする請求項１に記載の無線送受信装置。
【請求項７】
前記ＨＳＰＰＡコプロセッサが、前記モデムホストからのＩ／Ｑサンプルを受信し、かつ前記Ｉ／Ｑサンプルを前記ＨＳＤＰＡコプロセッサのレシーバにおけるＲＲＣフィルタの入力に提供するＩ／Ｑサンプルインターフェースを含むことを特徴とする請求項６に記載の無線送受信装置。
【請求項８】
前記Ｉ／Ｑサンプルが、前記ＨＳＤＰＡコプロセッサのＩ／Ｑサンプルインターフェースに、前記ＣＤＭＡ信号のチップ速度の実質上２倍である速度において提供されることを特徴とする請求項７に記載の無線送受信装置。
【請求項９】
前記モデムホストが、タイミング及び同期ユニットを含み、
前記ＨＳＤＰＡコプロセッサが、前記モデムホストのタイミング及び同期ユニットからのフレーム同期パルスを受信するタイミング管理装置を含むことを特徴とする請求項１に記載の無線送受信装置。
【請求項１０】
前記ＨＳＤＰＡコプロセッサが、前記モデムホストからクロック／リセット信号を受信し、かつ前記フレーム同期パルス及び前記クロック／リセット信号に基づいて信号を発生させるクロック発生装置であって、前記タイミング管理装置と通信するクロック発生装置を含むことを特徴とする請求項９に記載の無線送受信装置。
【請求項１１】
前記モデムホストが、トランスミッタを含み、
前記ＨＳＤＰＡコプロセッサが、ＣＱＩ及びＡＣＫ／ＮＡＣＫ信号を前記モデムホストにおけるトランスミッタに提供することを特徴とする請求項１に記載の無線送受信装置。
【請求項１２】
前記モデムホストが、レイヤ２／３ＣＰＵを含み、
前記ＨＳＤＰＡコプロセッサが、前記モデムホストにおけるレイヤ２／３ＣＰＵと通信するためのレイヤ２／３ＣＰＵインターフェースを含むことを特徴とする請求項１に記載の無線送受信装置。
【請求項１３】
前記モデムホストは、ＨＳＤＰＡ処理が必要でないと、前記ＨＳＤＰＡコプロセッサをパワーダウンさせる、または前記ＨＳＤＰＡコプロセッサを低電力の待機モードに設定する手段を備えたことを特徴とする請求項１に記載の無線送受信装置。
【請求項１４】
無線送受信装置（ＷＴＲＵ）におけるモデムホストの能力を強化するＨＳＤＰＡコプロセッサであって、
前記ＨＳＤＰＡコプロセッサは、
（ａ）レシーバサブシステムであって、
（ａ１）ＲＲＣフィルタと、
（ａ２）前記ＲＲＣフィルタからＩ／Ｑサンプルを受信するレシーバと、
（ａ３）前記レシーバの出力と通信するＨＳＤＰＡデスプレッダと、
（ａ４）前記レシーバ及び前記ＨＳＤＰＡデスプレッダと通信するＣＬＥＰＰと
を含むレシーバサブシステムと、
（ｂ）前記レシーバサブシステムと通信するＳＭＡメモリと、
（ｃ）前記モデムホストとの通信のための少なくとも１つのインターフェースと、
（ｄ）前記ＳＭＡメモリと通信するレシーバサブフレーマと
を備えたことを特徴とするＨＳＤＰＡコプロセッサ。
【請求項１５】
前記レシーバがＮＬＭＳ  ＣＬＥであり、
前記レシーバサブシステムが、
（ａ５）前記ＨＳＤＰＡデスプレッダ及び前記ＣＬＥＰＰと通信するＨＳ−ＳＣＣＨデコーダと、
（ａ６）前記モデムホストに対してＣＱＩ情報を提供するために前記ＨＳＤＰＡデスプレッダと通信するＣＱＩエスティメータと
をさらに含むことを特徴とする請求項１４に記載のＨＳＤＰＡコプロセッサ。
【請求項１６】
（ｅ）前記ＳＭＡメモリと通信するデータムーバ
をさらに備えたことを特徴とする請求項１５に記載のＨＳＤＰＡコプロセッサ。
【請求項１７】
前記レシーバがＲａｋｅレシーバであり、
前記レシーバサブシステムが、
（ａ５）前記ＨＳＤＰＡデスプレッダ及び前記ＣＬＥＰＰと通信するＨＳ−ＳＣＣＨデコーダと、
（ａ６）前記モデムホストに対してＣＱＩ情報を提供するために前記ＨＳＤＰＡデスプレッダと通信するＣＱＩエスティメータと
をさらに含むことを特徴とする請求項１４に記載のＨＳＤＰＡコプロセッサ。
【請求項１８】
（ｅ）前記ＳＭＡメモリと通信するデータムーバ
をさらに備えたことを特徴とする請求項１７に記載のＨＳＤＰＡコプロセッサ。
【請求項１９】
（ａ）３ＧＰＰ  Ｒ４規格に従って作動するモデムホストと、
（ｂ）無線送受信装置（ＷＴＲＵ）が３ＧＰＰ  Ｒ５規格に従って作動するよう前記無線送受信装置のワイヤレス通信能力をアップグレードさせるＨＳＤＰＡコプロセッサと
を備え、
前記モデムホストが、ホストＣＰＵを含み、
前記ＨＳＤＰＡコプロセッサが、前記ホストＣＰＵと前記ＨＳＤＰＡコプロセッサとの間の通信を確立するホストＣＰＵインターフェースを含むことを特徴とする無線送受信装置。
【請求項２０】
ＣＤＭＡ信号を処理するＩＣであって、
前記ＩＣは、
（ａ）モデムホストと、
（ｂ）前記ＩＣのワイヤレス通信能力を強化して前記モデムホスト単独により提供されるワイヤレス通信能力を越えさせ、複数のカスタマイズ可能なインターフェースによって前記モデムホストと通信するＨＳＤＰＡコプロセッサと
を備え、
前記モデムホストが、ホストＣＰＵを含み、
前記ＨＳＤＰＡコプロセッサが、前記ホストＣＰＵと前記ＨＳＤＰＡコプロセッサとの間の通信を確立するホストＣＰＵインターフェースを含むことを特徴とするＩＣ。
【請求項２１】
前記モデムホストは、３ＧＰＰ  Ｒ４規格に従って作動し、
前記ＨＳＤＰＡコプロセッサは、前記ＩＣが３ＧＰＰ  Ｒ５規格に従って作動するよう前記ＩＣのワイヤレス通信能力を強化することを特徴とする請求項２０に記載のＩＣ。
【請求項２２】
前記モデムホストが、ＲＲＣフィルタを含むレシーバを含むことを特徴とする請求項２０に記載のＩＣ。
【請求項２３】
前記ＨＳＤＰＡコプロセッサが、前記モデムホストにおけるＲＲＣフィルタの出力からのＩ／Ｑサンプルを受信するＩ／Ｑサンプルインターフェースを含むことを特徴とする請求項２２に記載のＩＣ。
【請求項２４】
前記Ｉ／Ｑサンプルが、前記モデムホストにおけるＲＲＣフィルタによって、前記ＨＳＤＰＡコプロセッサのＩ／Ｑサンプルインターフェースに、前記ＣＤＭＡ信号のチップ速度の実質上２倍の速度において提供されることを特徴とする請求項２３に記載のＩＣ。
【請求項２５】
前記ＨＳＤＰＡコプロセッサが、ＲＲＣフィルタを含むレシーバを含むことを特徴とする請求項２０に記載のＩＣ。
【請求項２６】
前記ＨＳＰＰＡコプロセッサが、前記モデムホストからのＩ／Ｑサンプルを受信し、かつ前記Ｉ／Ｑサンプルを前記ＨＳＤＰＡコプロセッサのレシーバにおけるＲＲＣフィルタの入力に提供するＩ／Ｑサンプルインターフェースを含むことを特徴とする請求項２５に記載のＩＣ。
【請求項２７】
前記Ｉ／Ｑサンプルが、前記ＨＳＤＰＡコプロセッサのＩ／Ｑサンプルインターフェースに、前記ＣＤＭＡ信号のチップ速度の実質上２倍である速度において提供されることを特徴とする請求項２６に記載のＩＣ。
【請求項２８】
前記モデムホストが、タイミング及び同期ユニットを含み、
前記ＨＳＤＰＡコプロセッサが、前記モデムホストのタイミング及び同期ユニットからのフレーム同期パルスを受信するタイミング管理装置を含むことを特徴とする請求項２０に記載のＩＣ。
【請求項２９】
前記ＨＳＤＰＡコプロセッサが、前記モデムホストからクロック／リセット信号を受信し、かつ前記フレーム同期パルス及び前記クロック／リセット信号に基づいて信号を発生させ、前記タイミング管理装置と通信するクロック発生装置を含むことを特徴とする請求項２８に記載のＩＣ。
【請求項３０】
前記モデムホストが、トランスミッタを含み、
前記ＨＳＤＰＡコプロセッサが、ＣＱＩ及びＡＣＫ／ＮＡＣＫ信号を前記モデムホストにおけるトランスミッタに提供することを特徴とする請求項２０に記載のＩＣ。
【請求項３１】
前記モデムホストが、レイヤ２／３ＣＰＵを含み、
前記ＨＳＤＰＡコプロセッサが、前記モデムホストにおけるレイヤ２／３ＣＰＵと通信するためのレイヤ２／３ＣＰＵインターフェースを含むことを特徴とする請求項２０に記載のＩＣ。
【請求項３２】
前記モデムホストは、ＨＳＤＰＡ処理が必要でないと、前記ＨＳＤＰＡコプロセッサをパワーダウンさせる、または前記ＨＳＤＰＡコプロセッサを低電力の待機モードに設定する手段を備えたことを特徴とする請求項２０に記載のＩＣ。
【請求項３３】
無線送受信装置（ＷＴＲＵ）におけるモデムホストの能力を強化するＩＣであって、
前記ＩＣは、
（ａ）レシーバサブシステムであって、
（ａ１）ＲＲＣフィルタと、
（ａ２）前記ＲＲＣフィルタからＩ／Ｑサンプルを受信するレシーバと、
（ａ３）前記レシーバの出力と通信するＨＳＤＰＡデスプレッダと、
（ａ４）前記レシーバ及び前記ＨＳＤＰＡデスプレッダと通信するＣＬＥＰＰと
を含むレシーバサブシステムと、
（ｂ）前記レシーバサブシステムと通信するＳＭＡメモリと、
（ｃ）前記モデムホストとの通信するための少なくとも１つのインターフェースと、
（ｄ）前記ＳＭＡメモリと通信するレシーバサブフレーマと
を備えたことを特徴とするＩＣ。
【請求項３４】
前記レシーバがＮＬＭＳ  ＣＬＥであり、
前記レシーバサブシステムが、
（ａ５）前記ＨＳＤＰＡデスプレッダ及び前記ＣＬＥＰＰと通信するＨＳ−ＳＣＣＨデコーダと、
（ａ６）前記モデムホストに対してＣＱＩ情報を提供するために前記ＨＳＤＰＡデスプレッダと通信するＣＱＩエスティメータと
をさらに含むことを特徴とする請求項３３に記載のＩＣ。
【請求項３５】
（ｅ）前記ＳＭＡメモリと通信するデータムーバ
をさらに備えたことを特徴とする請求項３４に記載のＩＣ。
【請求項３６】
前記レシーバがＲａｋｅレシーバであり、
前記レシーバサブシステムが、
（ａ５）前記ＨＳＤＰＡデスプレッダ及び前記ＣＬＥＰＰと通信するＨＳ−ＳＣＣＨデコーダと、
（ａ６）前記モデムホストに対してＣＱＩ情報を提供するために前記ＨＳＤＰＡデスプレッダと通信するＣＱＩエスティメータと
をさらに含むことを特徴とする請求項３３に記載のＩＣ。
【請求項３７】
（ｅ）前記ＳＭＡメモリと通信するデータムーバ
をさらに備えたことを特徴とする請求項３６に記載のＩＣ。
【請求項３８】
（ａ）３ＧＰＰ  Ｒ４規格に従って作動するモデムホストと、
（ｂ）ＩＣが３ＧＰＰ  Ｒ５規格に従って作動するよう前記ＩＣのワイヤレス通信能力をアップグレードさせるＨＳＤＰＡコプロセッサと
を備え、
前記モデムホストが、ホストＣＰＵを含み、
前記ＨＳＤＰＡコプロセッサが、前記ホストＣＰＵと前記ＨＳＤＰＡコプロセッサとの間の通信を確立するホストＣＰＵインターフェースを含むことを特徴とするＩＣ。
【請求項３９】
無線送受信装置（ＷＴＲＵ）におけるモデムホストの性能を強化するＨＳＤＰＡコプロセッサであって、
前記ＨＳＤＰＡコプロセッサは、
（ａ）Ｉ／Ｑサンプルを受信するＮＬＭＳ  ＣＬＥレシーバと、
（ｂ）前記ＮＬＭＳ  ＣＬＥレシーバの出力と通信するＨＳＤＰＡデスプレッダと、
（ｃ）前記ＮＬＭＳ  ＣＬＥレシーバ及び前記ＨＳＤＰＡデスプレッダと通信するＣＬＥＰＰと、
（ｄ）前記ＨＳＤＰＡデスプレッダ及び前記ＣＬＥＰＰと通信するＨＳ−ＳＣＣＨデコーダと、
（ｅ）前記モデムホストに対してＣＱＩ情報を提供するために前記ＨＳＤＰＡデスプレッダと通信するＣＱＩエスティメータと
を備えたことを特徴とするＨＳＤＰＡコプロセッサ。
【請求項４０】
無線送受信装置（ＷＴＲＵ）におけるモデムホストの性能を強化するＨＳＤＰＡコプロセッサであって、
前記ＨＳＤＰＡコプロセッサは、
（ａ）Ｉ／Ｑサンプルを受信するＲａｋｅレシーバと、
（ｂ）前記Ｒａｋｅレシーバの出力と通信するＨＳＤＰＡデスプレッダと、
（ｃ）前記Ｒａｋｅレシーバ及び前記ＨＳＤＰＡデスプレッダと通信するＣＬＥＰＰと、
（ｄ）前記ＨＳＤＰＡデスプレッダ及び前記ＣＬＥＰＰと通信するＨＳ−ＳＣＣＨデコーダと、
（ｅ）前記モデムホストに対してＣＱＩ情報を提供するために前記ＨＳＤＰＡデスプレッダと通信するＣＱＩエスティメータと
を備えたことを特徴とするＨＳＤＰＡコプロセッサ。
【請求項４１】
無線送受信装置（ＷＴＲＵ）におけるモデムホストの能力を強化するＩＣであって、
前記ＩＣは、
（ａ）Ｉ／Ｑサンプルを受信するＮＬＭＳ  ＣＬＥレシーバと、
（ｂ）前記ＮＬＭＳ  ＣＬＥレシーバの出力と通信するＨＳＤＰＡデスプレッダと、
（ｃ）前記ＮＬＭＳ  ＣＬＥレシーバ及び前記ＨＳＤＰＡデスプレッダと通信するＣＬＥＰＰと、
（ｄ）前記ＨＳＤＰＡデスプレッダ及び前記ＣＬＥＰＰと通信するＨＳ−ＳＣＣＨデコーダと、
（ｅ）前記モデムホストに対してＣＱＩ情報を提供するために前記ＨＳＤＰＡデスプレッダと通信するＣＱＩエスティメータと
を備えたことを特徴とするＩＣ。
【請求項４２】
無線送受信装置（ＷＴＲＵ）におけるモデムホストの能力を強化するＩＣであって、
前記ＩＣは、
（ａ）Ｉ／Ｑサンプルを受信するＲａｋｅレシーバと、
（ｂ）前記Ｒａｋｅレシーバの出力と通信するＨＳＤＰＡデスプレッダと、
（ｃ）前記Ｒａｋｅレシーバ及び前記ＨＳＤＰＡデスプレッダと通信するＣＬＥＰＰと、
（ｄ）前記ＨＳＤＰＡデスプレッダ及び前記ＣＬＥＰＰと通信するＨＳ−ＳＣＣＨデコーダと、
（ｅ）前記モデムホストに対してＣＱＩ情報を提供するために前記ＨＳＤＰＡデスプレッダと通信するＣＱＩエスティメータと
を備えたことを特徴とするＩＣ。